(57)【特許請求の範囲】
【請求項１】
データ処理装置と、前記データ処理装置に接続された入力装置及び表示装置と、前記データ処理装置に搭載されたコンピュータプログラムとして構成される設備管理手段とデータベースとを備え、管理対象の複数の設備に関する情報を管理する設備管理システムにおいて、
前記設備管理手段は、前記コンピュータプログラムとしてそれぞれ構成されるデータ構成管理部と、登録部と、検索部と、画面フォーマット制御部とを有してなり、
前記データ構成管理部は、設備基本テーブルと、設備基本用マスタと、系統テーブルとを備え、
前記設備基本テーブルは、前記管理対象の設備ごとのレコードに記録すべき情報項目について複数の前記設備に共通する情報項目を規定するテーブルであり、各設備を特定する設備ＩＤ、関係付けられる複数の系統をそれぞれ特定する系統ＩＤ、設備名、及び各設備に関して管理対象となるデータについての複数のデータ項目とを含む前記共通の情報項目が規定される項目欄と、該項目欄に規定された情報項目についてのレコードが記録される複数のレコード欄とが設けられ、
前記設備基本用マスタは、前記設備基本テーブルで規定される共通の情報項目を定義するテーブルであり、管理ＩＤ、親管理ＩＤ、フィールドＩＤ、表示名、型式、サイズ、表示順が規定される項目欄と、該項目欄の各項目についてのレコードが記録される複数のレコード欄とが設けられ、
前記系統テーブルは、前記設備の設置場所と設備種類に基づいて階層状に関連付けて分けた複数の系統ごとのレコードに記録すべき系統の情報項目を規定するテーブルであり、前記各系統に関係付けられる設備を特定する設備ＩＤと、複数のデータ項目とからなる各系統の情報項目が規定される項目欄と、該項目欄に規定された各系統の情報項目についてのレコードが記録される複数のレコード欄とが設けられ、
前記登録部は、前記設備基本テーブルに新しい設備のデータ項目を追加登録する場合、前記表示装置に前記画面フォーマット制御部で作成された入力画面を表示させ、該入力画面に基づいて前記入力装置から入力される前記設備基本用マスタの前記項目欄に対応する情報項目を登録し、前記設備基本用マスタに新しいレコード欄を作成して管理ＩＤ、親管理ＩＤ、フィールドＩＤを自動生成して登録するとともに、前記設備基本テーブルの項目欄のＤＢデータフィールド名に前記設備基本用マスタの前記新しいレコード欄のフィールドＩＤを用いた新しいデータ項目を追加登録し、
前記検索部は、前記入力装置から入力されるユーザの要求に応じて、前記設備基本テーブルに登録された管理対象の前記設備の情報項目を前記設備基本テーブルから検索するとともに、前記設備に関係付けて前記設備基本テーブルに登録された前記各系統の情報項目を前記系統テーブルから検索して、前記画面フォーマット制御部で作成された設備一覧表示画面を前記表示装置に表示するように構成されてなる設備管理システム。
【請求項２】
前記データ構成管理部は、さらに、前記系統テーブルで規定される系統の情報項目を定義する前記系統用マスタを備え、
前記系統用マスタは、系統の情報項目の定義に必要な管理ＩＤ、親管理ＩＤ、フィールドＩＤ、表示名、型式、サイズ、表示順が規定される項目欄と、該項目欄の各項目についてレコードが記録される複数のレコード欄とが設けられ、
前記登録部は、前記系統テーブルに新しい系統を追加する場合、前記表示装置に前記画面フォーマット制御部で作成された入力画面を表示させ、該入力画面に基づいて前記入力装置から入力される前記系統用マスタの項目欄の表示名を登録し、前記系統用マスタに新しいレコード欄を作成して管理ＩＤ、親管理ＩＤ、フィールドＩＤを自動生成して登録して、フィールドＩＤをテーブル名とする前記系統テーブルを作成して登録するように構成されてなることを特徴とする請求項１に記載の設備管理システム。
【発明の詳細な説明】
【技術分野】
【０００１】
本発明は、設備の保守についての管理業務を支援するために管理対象の設備について各種情報を管理する設備管理システムに関する。
【背景技術】
【０００２】
多種多様な設備を数多く保有している企業などでは、それらの設備の保守に関する管理を適切に行う必要がある。ここで、本明細書において「設備」とは、一般的な意味での設備の他に機器も含むものとする。また「設備の保守」とは、一般的な意味での設備の保守の他に設備の維持や保全も含むものとする。
【０００３】
多種多様で数も多い設備を管理するについては、コンピュータシステムを利用して管理対象設備に関する情報を管理するのが有効であり、様々なデータ管理手法や設備管理システムなどが提案されている。例えば特許文献１のデータベース登録管理方法、特許文献２の設備管理システム、特許文献３の設備機器管理装置などである。
【０００４】
特許文献１のデータベース登録管理方法では、登録要求データのデータ種類毎のデータ要素に基づきデータ管理定義を登録したテーブルと実際に登録したデータの関連付けを行う。そして関連付けしたデータを検索してデータ種類毎の項目の要素にしたがって出力し、データの要素追加に伴うデータ格納先を決定するとともに属性変更に伴うデータ格納先の属性を変更し、かつデータの格納先をデータベースに追加するようにしている。このため、登録要求データのフォーマット変更や新たなフォーマットの追加にも柔軟に対応でき、プログラムの修正やデータベースの知識を習得しなくともデータの属性変更や追加を行え、データベースの構築や変更についての負担を軽減できる。
【０００５】
特許文献２の設備管理システムは、設備配置図を要求に応じて表示手段に出力する設備配置図表示手段、表示された設備配置図上で指定された設備の設置場所を表すフロア番号と機器記号を組み合わせて対象とする機器コードを抽出する対象設備抽出手段、機器コードとこれに対応する設備保全情報からなるデータベースを対象機器コードによって検索して該当する設備保全情報を表示手段へ出力する設備保全情報抽出手段を備えた構成とされている。このような設備管理システムでは、ビル設備の配置図上から操作員が必要とする設備を視覚的に指定できることから、膨大な量の設備からの必要と設備の選択を容易かつ迅速に行え、また機器コードから関連する設備保全情報を迅速に取り出せることから、不具合設備の情報を迅速に提供でき、作業時間の短縮化が可能となる。
【０００６】
特許文献３の設備機器管理装置は、プラント内に設置されている設備機器のデータを格納するについて、機器の設置施設で分類する施設区分、機器の製造業種で分類する管理区分、機器の設置処理設備で分類する設備区分、機器の種類で分類する機器区分といった各区分に管理対象の設備機器を分類するようにしている。このような設備機器管理装置では、機器の分類により自動的に該当する機器を一意に特定することができ、また重大な機器故障が発生した場合にも、類似用途や類似目的の機器のみを検索して類発事故を防止することが可能となる。
【０００７】
【特許文献１】特開２００６−４０２６号公報
【特許文献２】特開２００３−２２３０８号公報
【特許文献３】特開２０００−２０５５００号公報
【発明の開示】
【発明が解決しようとする課題】
【０００８】
上述した従来のデータ管理手法や設備管理システムなどは、それなりに効果的な管理を可能とするものの、使い勝手という点で課題を残している。例えば、広域的に配置されている事業所や工場などに設置されている多種多様な設備を統一的に管理するような場合、管理対象の設備が膨大な数となり、また設備の保守業務のために管理すべき情報項目の追加を必要とするような設備が新たに管理対象として加わることが頻繁に起こり得る。このような場合の設備管理（設備情報の管理）では、管理対象設備の追加、管理中の設備の検索、管理すべき情報項目などについて、より使い勝手のよいものであることが望まれるが、従来の手法はこうした要求に十分に応えることができない。
【０００９】
また今日における技術は日進月歩であり、それに伴って設備の多様化も急速に進んでおり、これに応じて設備管理に対するニーズも多様化する傾向にあるが、こうしたニーズの多様化への対応性という点でも従来の手法は十分に応えることができない。
【００１０】
本発明は、以上のような事情を背景になされたものであり、その課題は、管理すべき情報項目や設備を容易に追加でき、使い勝手に優れる設備管理システムを提供することにある。
【課題を解決するための手段】
【００１１】
本発明では、上記課題を解決するために、設備に関する所定項目の情報を管理することで前記設備の保守についての管理業務を支援する設備管理システムにおいて、管理対象設備に関して系統分けを行い、それにより設定される複数の系統に前記管理対象設備の個々を関係付けて前記情報の管理を行えるようにされていることを特徴としている。
【００１３】
また本発明では、上記のような設備管理システムについて、前記管理対象設備ごとのレコードに記録すべき情報項目について管理対象の各設備に共通する情報項目を規定する設備基本テーブル、および前記系統ごとのレコードに記録すべき情報項目を規定する系統テーブルを備え、そして前記管理対象設備ごとのレコードにおける情報項目である設備毎レコード情報項目は、前記設備基本テーブルに規定された情報項目である共通情報項目と当該管理対象設備に対して前記関係付けがなされた系統についての前記系統テーブルに規定された情報項目である系統情報項目で与えるようするのを好ましい形態としている。このようにすることにより、管理すべき情報項目をより適切なものとすることができるようになる。
【００１４】
また本発明では、上記のような設備管理システムについて、前記共通情報項目を定義する設備基本用マスタ、および前記系統情報項目を定義する系統用マスタをさらに備え、前記設備基本用マスタにレコードを追加することで前記共通情報項目の追加を行えるとともに、そして前記系統用マスタにレコードを追加することで前記系統情報項目の追加を行えるようにするのを好ましい形態としている。このようにすることにより、設備に関して管理すべき情報項目と系統に関する情報項目の追加を容易に行うことが可能となり、管理すべき情報項目の追加を必要とするような設備の追加容易化をより効果的なものとして実現することができる。
【００１５】
また本発明では、上記のような設備管理システムについて、前記関係付けは、前記管理対象設備ごとのレコードにおける系統記録フィールドに系統特定用の情報を記録することでなされるようにするのを好ましい形態としている。このようにすることにより、管理対象設備の個々の複数の系統への関係付けをより容易に行えるようになる。
【００１６】
また本発明では、上記のような設備管理システムについて、管理中の各設備の情報を表示装置に表示する際に、情報表示対象の設備に前記関係付けがなされている前記系統についての情報も表示するようにするのを好ましい形態としている。このようにすることにより、設備の保守についての管理業務の支援をより効果的に行なえるようになる。
【発明の効果】
【００１７】
以上のような本発明によれば、管理すべき情報項目や設備を容易に追加でき、使い勝手に優れる設備管理システムを実現できる。
【発明を実施するための最良の形態】
【００１８】
以下、本発明を実施するための形態について説明する。図１に、一実施形態による設備管理システム１の構成を示す。本実施形態の設備管理システム１は、全国各地に事業所や工場などを保有し、それら事業所や工場などに各種設備を保有している企業における設備の保守についての管理業務を支援するのに適する構成とされる場合であり、管理対象設備について所定の情報を保持し、その保持情報をユーザの要求に応じて所定の形態で表示するなどして管理業務を支援する。そのために設備管理システム１は、データ処理装置２にコンピュータプログラムとして構成される設備管理手段３とデータ格納用のデータベース４を搭載した構造とされる。
【００１９】
データ処理装置２は、例えばサーバ用などであり、入力装置５と表示装置６が接続されており、管理対象設備の情報を入力装置５によりユーザが入力することができるようにされ、またユーザの要求に応じて登録情報を所定の形態で表示装置６に表示できるようにされている。
【００２０】
設備管理手段３は、設備の管理業務の上で必要となる管理対象設備に関する所定項目の情報を管理するのに機能し、Ｎ-Ｎ系統管理で情報の管理を行えるようにされており、画面フォーマット制御部１１、登録部１２、検索部１３、およびデータ構成管理部１４を含んでいる。
【００２１】
まずＮ-Ｎ系統管理について説明する。Ｎ-Ｎ系統管理は、管理対象設備に関して系統分けを行い、それにより設定される複数の系統に個々の管理対象設備を関係付けて情報を管理する方式、つまり１つの設備に対して複数の系統を関係付けて情報を管理する方式である。
【００２２】
本実施形態では、上述のように全国各地に事業所や工場などを保有し、それら事業所や工場などに各種設備を保有している企業における設備の保守についての管理業務を支援できるようにすることを前提としている。このような場合、一例として以下のようにして系統が設定される。
【００２３】
最上位の系統として、設置場所を単位とする系統である設置場所系統と設備の種類を単位とする系統である設備系統を設定する。そして設置場所系統については、設置場所系統１（事業所や工場を設置場所の単位とする系統で、例えば「Ａ事業所」、「Ｂ工場」など）、設置場所系統２（事業所や工場における建物を設置場所の単位とする系統で、例えば「Ａ-１棟」、「Ｂ-１棟」など）、…設置場所系統ｎというように階層構造で系統を設定し、また設備系統については、設備系統１（設備についての最上位概念による設備の種類を単位とする系統で、例えば「電気設備」、「搬送設備」など）、設備系統２（下位概念による設備の種類を単位とする系統で、例えば「エレベータ」、「分電盤」など）、…設備系統ｎというように階層構造で系統を設定する。
【００２４】
次に、設備管理手段３の各機能部について説明する。画面フォーマット制御部１１は、管理対象とする設備について必要な情報や新たに系統を追加する場合にその新たな系統について必要な情報などを入力するのに用いられる情報入力画面、それに管理している設備についての情報などを表示する情報表示画面などを表示装置６に表示する際の表示制御を行う。
【００２５】
登録部１２は、入力画面で入力された設備や系統に関する情報の登録に機能し、検索部１３は、管理中の設備情報などをユーザの要求に応じて表示する際の要表示情報を検索するのに機能する。
【００２６】
データ構成管理部１４は、Ｎ-Ｎ系統管理についての骨格的な機能を負っており、そのために設備基本テーブル２０、設備基本用マスタ３０、系統テーブル４０、および系統用マスタ５０を有している。
【００２７】
設備基本テーブル２０は、管理対象設備ごとのレコードに記録すべき情報項目について管理対象の各設備に共通する情報項目つまり共通情報項目を規定するテーブルである。設備基本テーブル２０の例を図２に示す。この例の設備基本テーブル２０は、項目欄２１において、設備を特定する設備ＩＤ、関係付けられる複数の系統それぞれを特定する系統１ＩＤ〜系統ｎＩＤ、設備名、当該設備に関して管理対象となるデータについてのデータ項目１〜データ項目ｎを各共通情報項目として規定している。
【００２８】
設備基本用マスタ３０は、設備基本テーブル２０で規定される共通情報項目を定義するテーブルである。設備基本用マスタ３０の例を図３に示す。この例の設備基本用マスタ３０は、項目欄３１において、共通情報項目の定義に必要な項目として、管理ＩＤ、親管理ＩＤ、フィールドＩＤ、表示名、型式、サイズ、表示順を規定している。
【００２９】
系統テーブル４０は、系統ごとのレコードに記録すべき情報項目を規定するテーブルである。系統テーブル４０の例を図４に示す。この例の系統テーブル４０は、項目欄４１において、系統に対して関係付けされる設備を特定する設備ＩＤを規定し、またデータ項目１〜データ項目ｎの各系統情報項目を規定している。
【００３０】
系統用マスタ５０は、系統テーブル４０で規定される系統情報項目を定義するテーブルである。系統用マスタ５０の例を図５に示す。この例の系統用マスタ５０は、項目欄５１において、系統情報項目の定義に必要な項目として、管理ＩＤ、親管理ＩＤ、フィールドＩＤ、表示名、型式、サイズ、表示順を規定している。
【００３１】
以上のようなデータ構成管理部１４は、設備基本テーブル２０への新しいデータ項目の追加を可能とし、また系統テーブル４０への新しい系統と新しいデータ項目の追加を可能とする。そしてこのことにより、管理すべき情報項目の追加を必要とするような設備でも管理対象として追加することを容易とする。
【００３２】
設備基本テーブル２０に新しいデータ項目（データ項目ｎ）を追加するには、設備基本用マスタ３０の項目欄３１における表示名、型式、サイズ、表示順を入力して登録する。すると、設備基本用マスタ３０に新しいレコードとしてレコード３３（レコードｎ）が作成され、そのレコード３３に設備基本用マスタ３０の項目欄３１における管理ＩＤ、親管理ＩＤ、フィールドＩＤが自動生成されて登録される。続いて、項目欄２１におけるデータ項目ｎのＤＢフィールド名２２にレコード３３におけるフィールドＩＤ “ＦＤ００ｎ”を用い、またＤＢフィールド属性の指定にレコード３３における型式“文字”、サイズ“２４”を用いて項目欄２１のデータ項目ｎのフィールドを追加する。
【００３３】
こうした設備基本テーブル２０に基づいて作成される個々の管理対象設備のレコードは、系統記録フィールド（項目欄２１おける系統１ＩＤ〜系統ｎＩＤに対応）に系統特定用の情報（例えば系統テーブル名）を記録することで当該管理対象設備の複数の系統への関係付けを行うことができる。また、このような複数の系統への関係付け伴って、管理対象設備ごとのレコードにおける情報項目である設備毎レコード情報項目は、設備基本テーブル２０における共通情報項目と当該管理対象設備に対して関係付けがなされた系統についての系統テーブルにおける系統情報項目の和として与えるようにし、これにより、管理すべき情報項目をより適切なものとすることができるようにする。
【００３４】
系統テーブル４０で新しい系統を追加するには、系統用マスタ５０の項目欄５１における表示名を入力して登録する。すると、系統用マスタ５０にレコード５２（レコード１）が作成され、項目欄５１における管理ＩＤ、親管理ＩＤ、フィールドＩＤが自動生成されて登録される。続いて、レコード５２のフィールドＩＤ“ＴＤ１００”を系統テーブル名とした系統テーブル４０が作成される。
【００３５】
系統テーブル４０に新しいデータ項目（データ項目ｎ）を追加するには、系統用マスタ５０のレコード５２における表示名“設備系統１”を入力し、また表示名“電流（Ａ）”、型式“数字”、サイズ“８”、表示順“５”を入力して登録する。すると、系統用マスタ５０にレコード５４（レコードｎ）が作成され、レコード５５における親管理ＩＤに属する系統の親レコードであるレコード５２の管理ＩＤ“Ｋ１０００”を登録することでレコード５４の管理ＩＤ、フィールドＩＤが自動生成されて登録される。続いて、項目欄４１のデータ項目ｎのＤＢフィールド名４２にレコード５５におけるフィールドＩＤ“ＦＤ１０ｎ”を用い、またＤＢフィールド属性指定にレコード５４における型式“数字”、サイズ“８”を用い項目欄４１のデータ項目ｎのフィールドを追加する。
【００３６】
以下では画面フォーマット制御部１１でなされる処理について説明する。入力装置５からのデータの入力や表示装置６へのデータの出力にあたり、画面フォーマット制御部１１は、設備基本用マスタ３０のレコード３２〜レコード３３それぞれにおける表示名と表示順（項目欄３１に規定の表示名と表示順）を、設備基本テーブル２０のレコード２３〜レコード２４の中から選択されたレコード（仮にレコードＸとする）におけるデータ項目１〜データ項目ｎ（項目欄２１に規定のデータ項目１〜データ項目ｎ）に対応付けるとともに、その選択されたレコードＸにおける設備ＩＤ（項目欄２１に規定の設備ＩＤ）をキーとして、レコードＸの系統記録フィールドで関係付けられている各系統について、系統用マスタ５０における表示名と表示順、および系統テーブル４０におけるデータ項目１〜データ項目ｎを対応づけた後、表示順による画面フォーマットを作成する。
【００３７】
以上のようにして表示される画面の例を図６と図７に示す。図６は、管理対象設備を追加する際の設備情報入力画面の例であり、図７は、管理している設備情報を表示する情報表示画面である設備一覧表示画面の例である。設備一覧表示画面では、上述のような系統分けに応じ、設置場所系統１、設置場所系統２、設備系統１、設備系統２として、情報表示対象の設備に関係付けがなされている系統についての情報も関係する系統の階層関係とともに表示されている。このような形態での表示を行えることにより、設備管理のニーズの多様化への対応性が高まり、設備保守についての管理業務の支援をより効果的に行なえるようになる。
【００３８】
以上、本発明を実施するための形態について説明したが、これらは代表的な例に過ぎず、本発明はその趣旨を逸脱することのない範囲で様々な形態で実施することができる。
【図面の簡単な説明】
【００３９】
【図１】一実施形態による設備管理システムの構成を示す図である。
【図２】設備基本テーブルの例を示す図である。
【図３】設備基本用マスタの例を示す図である。
【図４】系統テーブルの例を示す図である。
【図５】系統用マスタの例を示す図である。
【図６】設備情報入力画面の例を示す図である。
【図７】設備一覧表示画面の例を示す図である。
【符号の説明】
【００４０】
１      設備管理システム
２０    設備基本テーブル
３０    設備基本用マスタ
４０    系統テーブル
５０    系統用マスタ
【図１】
0004848383.tif 000002
【図２】
0004848383.tif 000003
【図３】
0004848383.tif 000004
【図４】
0004848383.tif 000005
【図５】
0004848383.tif 000006
【図６】
0004848383.tif 000007
【図７】
0004848383.tif 000008